(57)【要約】【課題】スクリーンショットの機能を備えていることを、ユーザーに適確なタイミングで通知して、該機能の利用を促す。【解決手段】画像形成装置１０は、表示部２１と、表示部２１に表示されている画像を取得するスクリーンショット実行部３５と、表示部２１に画像が表示されかつ予め設定された条件が満たされた場合に、スクリーンショット実行部３５による画像の取得が可能である旨を示すメッセージを表示部２１に表示させる制御部３１と、を備える。【選択図】図２
2020017234.tif 000002
【特許請求の範囲】
【請求項１】
表示部と、
前記表示部に表示されている画像を取得するスクリーンショット実行部と、
前記表示部に画像が表示され、かつ予め設定された条件が満たされた場合に、前記スクリーンショット実行部により前記画像の取得が可能である旨を示すメッセージを前記表示部に表示させる制御部と、を備える電子機器。
【請求項２】
ユーザーにより操作される操作部を更に備え、
前記条件は、前記操作部の操作により前記表示部の画像の拡大縮小又は移動が指示されることであり、
前記制御部は、前記表示部に画像が表示され、かつ前記操作部の操作により前記表示部の画像の拡大縮小又は移動が指示された場合に、前記メッセージを前記表示部に表示させる請求項１に記載の電子機器。
【請求項３】
前記条件は、予め設定された種類の画像が前記表示部に表示されることであり、
前記制御部は、前記表示部に画像が表示され、かつ当該画像が前記予め定められた種類の画像である場合に、前記メッセージを前記表示部に表示させる請求項１に記載の電子機器。
【請求項４】
前記制御部は、前記電子機器の起動後、前記メッセージを前記表示部に一度表示させると、前記表示部に前記画像が表示され、かつ前記条件が満たされても該メッセージを前記表示部に再度表示させない請求項１乃至請求項３のいずれか１つに記載の電子機器。
【請求項５】
前記条件は、前記表示部に表示されている画像が前記スクリーンショット実行部により以前に取得された画像と同じ種類のものであることであり、
前記制御部は、前記表示部に画像が表示され、かつ当該画像が前記スクリーンショット実行部により以前に取得された画像と同じ種類のものである場合に、前記メッセージを前記表示部に表示させる請求項１に記載の電子機器。
【請求項６】
前記制御部は、前記メッセージを前記表示部に表示させた後、前記スクリーンショット実行部を起動させるための操作方法を示す画像を前記表示部に表示させる請求項１乃至請求項５のいずれか１つに記載の電子機器。
【請求項７】
請求項１乃至請求項６のいずれかに記載の電子機器と、
前記スクリーンショット実行部により取得された前記画像を記録紙に形成する画像形成部と、を備える画像形成装置。
【発明の詳細な説明】
【技術分野】
【０００１】
本発明は、表示部に表示されている画像をスクリーンショットにより取り込む電子機器及び画像形成装置に関し、特に、スクリーンショットの使用を支援するための技術に関する。
【背景技術】
【０００２】
スマートフォン及び情報処理装置等の電子機器には、表示部に表示されている画像をスクリーンショットにより取り込むための機能を備えるものがある。例えば、特許文献１に記載の情報処理装置では、予め定められた条件の下でスクリーンショット実行部により画像が取り込まれて記憶部に記憶されると、この画像を近距離通信部から画像形成装置へと送信させている。
【先行技術文献】
【特許文献】
【０００３】
【特許文献１】特開２０１７−２０４１９１号公報
【発明の概要】
【発明が解決しようとする課題】
【０００４】
ここで、近年、上記のようなスクリーンショットの機能は普及しつつあるが、電子機器には、スクリーンショットの機能を備えるものとそうでないものとがある。このため、ユーザーは、スクリーンショットの機能を備える電子機器を利用しながらも、スクリーンショットの機能を備えていることを知らずに、この機能を活用しないでいることもある。
【０００５】
本発明は、上記の事情に鑑みなされたものであり、スクリーンショットの機能を備えていることを、ユーザーに適確なタイミングで通知して、該機能の利用を促すことを目的とする。
【課題を解決するための手段】
【０００６】
本発明の一局面にかかる電子機器は、表示部と、前記表示部に表示されている画像を取得するスクリーンショット実行部と、前記表示部に画像が表示され、かつ予め設定された条件が満たされた場合に、前記スクリーンショット実行部により前記画像の取得が可能である旨を示すメッセージを前記表示部に表示させる制御部と、を備えるものである。
【０００７】
また、本発明の一局面にかかる画像形成装置は、上記電子機器と、前記スクリーンショット実行部により取得された前記画像を記録紙に形成する画像形成部と、を備えるものである。
【発明の効果】
【０００８】
本発明によれば、スクリーンショットの機能を備えていることを、ユーザーに適確なタイミングで通知して、該機能の利用を促すことができる。
【図面の簡単な説明】
【０００９】
【図１】本発明の一実施形態にかかる電子機器の一例である画像形成装置を示す断面図である。
【図２】本実施形態の画像形成装置の主要内部構成を示すブロック図である。
【図３】画像が表示部に表示されかつ予め設定された条件が満たされた場合に、スクリーンショットにより該画像の取得が可能である旨を示すメッセージを表示部に表示させるための手順を示すフローチャートである。
【図４】画像形成装置における操作部及び画像が表示されている表示部を示す平面図である。
【図５】スクリーンショットにより画像の取得が可能である旨を示すメッセージを表示した表示部の画面を示す図である。
【図６】スクリーンショットの操作方法を示すメッセージを表示した表示部の画面を示す図である。
【発明を実施するための形態】
【００１０】
以下、本発明の実施形態について図面を参照して説明する。図１は、本発明の一実施形態にかかる電子機器の一例である画像形成装置を示す断面図である。本実施形態の画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１１】
画像読取部１１は、原稿の画像を光学的に読み取る撮像素子を有しており、この撮像素子のアナログ出力がデジタル信号に変換されて、原稿の画像を示す画像データが生成される。
【００１２】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１３】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１４】
次に、画像形成装置１０の制御に係る構成について説明する。図２は、画像形成装置１０の主要内部構成を示す機能ブロック図である。この図２に示すように画像形成装置１０は、画像読取部１１と、画像形成部１２と、表示部２１と、操作部２２と、タッチパネル２３と、ネットワーク通信部２４と、記憶部２８と、制御ユニット２９とを備えている。これらの構成要素は、互いにバスを通じてデータ又は信号の送受信が可能とされている。
【００１５】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどの物理キーを備えている。
【００１６】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１などに出力する。このタッチパネル２３に対する操作には、所謂タッチ操作、スライド操作、ドラッグ操作、ピンチアウト操作、ピンチイン操作などがある。制御部３１は、タッチパネル２３の検出信号に基づきそれらの操作を判別する。
【００１７】
ネットワーク通信部（ＮＷ通信部）２４は、不図示のＬＡＮチップなどの通信モジュールを備える通信インターフェイスである。画像形成装置１０は、ネットワーク通信部２４を通じて、ネットワーク上のＰＣ（Personal Computer）やサーバーなどの他の端末装置と接続され、ＰＣやサーバーとの間でデータの送受信を行う。
【００１８】
記憶部２８は、ＳＳＤ（Solid State Drive）、ＨＤＤ（Hard Disk Drive）などの大容量の記憶装置であって、各種のアプリケーションプログラムや種々のデータを記憶している。
【００１９】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１及びスクリーンショット実行部３５として機能する。
【００２０】
制御部３１は、画像形成装置１０を統括的に制御する。制御ユニット２９は、画像読取部１１、画像形成部１２、表示部２１、操作部２２、タッチパネル２３、ネットワーク通信部２４、及び記憶部２８などと接続されている。制御部３１は、これらの構成要素の動作制御や、該各構成要素との間での信号またはデータの送受信を行う。
【００２１】
制御部３１は、画像形成装置１０による画像形成に必要な各種の処理などを実行する処理部としての役割を果たす。また、制御部３１は、タッチパネル２３から出力される検知信号あるいは操作部２２の物理キーの操作に基づき、ユーザーにより入力された操作指示を受け付ける。
【００２２】
制御部３１は、表示部２１の表示動作を制御する機能を有する。また、制御部３１は、ネットワーク通信部２４の通信動作を制御する機能を有する。
【００２３】
スクリーンショット実行部３５は、表示部２１の画面に表示されている画像を取り込んで、この画像を記憶部２８に記憶させる。要するに、スクリーンショット実行部３５は所謂スクリーンショットを実行する。
【００２４】
このような構成の画像形成装置１０において、制御部３１は、ユーザーによる操作部２２又はタッチパネル２３の操作に応じて様々な処理を実行する。制御部３１は、そのような処理の内容を設定するためのグラフィックユーザーインターフェース（ＧＵＩ）を記憶部２８から読み出して表示部２１に表示させ、各種のデータを記憶部２８から読み出して表示部２１に表示させる。
【００２５】
また、ＧＵＩ、各種のデータ、ブラウザーの画像（画像）が表示部２１に表示されている状態で、ユーザーが操作部２２のスクリーンショットキー（物理キーのうちの１つ）を操作すると、制御部３１がスクリーンショットキーの操作を受け付け、スクリーンショット実行部３５が表示部２１の画面に表示されている画像を取り込んで記憶部２８に記憶させる。
【００２６】
一方、制御部３１は、画像が表示部２１に表示され、かつ予め設定された条件が満たされた場合に、制御部３１を通じて、スクリーンショットにより該画像の取得が可能である旨を示すメッセージを表示部２１に表示させる。これにより、画像形成装置１０がスクリーンショットの機能を備えていることをユーザーに通知する。
【００２７】
上記条件は、タッチパネル２３に対する操作により表示部２１に表示されている画像の拡大縮小又は移動が指示されたという条件である。画像の拡大を指示する操作は、タッチパネル２３に対するピンチアウト操作、画像の縮小を指示する操作はピンチイン操作、画像の移動を指示する操作はスライド操作である。制御部３１は、タッチパネル２３に対するピンチアウト操作、ピンチイン操作、又はスライド操作を受け付け、制御部３１が表示部２１に表示されている画像を拡大、縮小、又は移動させる。従って、制御部３１は、(1)画像が表示部２１に表示されるという条件と、(2)ピンチアウト操作、ピンチイン操作、又はスライド操作が行われて該画像が拡大、縮小、又は移動されたという条件とが満たされた場合に、上記メッセージを表示部２１に表示させることとなる。
【００２８】
また、上記条件は、記憶部２８に予め記憶されている規定の種類の画像が表示部２１に表示されたという条件である。例えば、制御部３１は、各画像別に、画像の拡張子を参照することにより画像の種類を識別する。制御部３１は、画像が表示部２１に表示されたときに、該画像の拡張子を参照して、この拡張子が記憶部２８に予め記憶されている規定の拡張子（画像の規定の種類）に一致する場合に、上記メッセージを表示部２１に表示させる。
【００２９】
また、上記条件は、表示部２１に表示されている画像がスクリーンショットにより以前に取得された画像と同一の種類の画像であるという条件である。制御部３１は、スクリーンショットにより画像が取得される度に、該画像の拡張子を履歴情報ＲＤとして記憶部２８に記憶させて残しておく。そして、制御部３１は、画像が表示部２１に表示されたときに、該画像の拡張子を参照して、この拡張子が履歴情報ＲＤに記憶されているいずれかの拡張子（画像の種類）に一致する場合に、上記メッセージを表示部２１に表示させる。
【００３０】
次に、上記のように画像が表示部２１に表示されかつ予め設定された条件が満たされた場合に、スクリーンショットにより該画像の取得が可能である旨を示すメッセージを表示部２１に表示させるための手順を、図３に示すフローチャートなどを参照してより具体的に参照して説明する。
【００３１】
まず、ユーザーが操作部２２又はタッチパネル２３を操作して、ＧＵＩ、各種のデータ、ブラウザーの画像（画像）の表示を指示した場合に、制御部３１は、その画像の表示指示を受け付け（Ｓ１０１）、制御部３１がその画像を表示部２１に表示させる（Ｓ１０２）。例えば、制御部３１は、ＧＵＩを記憶部２８から読み出して表示部２１に表示させる、各種のデータを記憶部２８から読み出して表示部２１に表示させる、又は、インターネットからネットワーク通信部２４へと送受信されたブラウザーの画像を表示部２１に表示させる。ここでは、図４に示すような画像Ｚが表示部２１の画面に表示されたものとする。尚、図４には、操作部２２のスクリーンショットキー（物理キーのうちの１つ）ＳＣが示されている。
【００３２】
制御部３１は、その画像を表示部２１に表示させると、タッチパネル２３に対する操作により表示部２１に表示されている画像の拡大縮小又は移動が指示されたか否かを判定し（Ｓ１０３）、また該画像の拡張子を参照して、この拡張子が記憶部２８に予め記憶されている規定の拡張子に一致するか否かを判定し（Ｓ１０４）、また該画像の拡張子を参照して、この拡張子が履歴情報ＲＤとして記憶されているいずれかの拡張子に一致するか否かを判定する（Ｓ１０５）。
【００３３】
例えば、制御部３１は、タッチパネル２３に対する操作により画像の拡大縮小又は移動が指示されず（Ｓ１０３「Ｎｏ」）、かつ該画像の拡張子が記憶部２８に予め記憶されている規定の拡張子に一致せず（Ｓ１０４「Ｎｏ」）、かつ該画像の拡張子が履歴情報ＲＤとして記憶されているいずれの拡張子にも一致しないと判定すると（Ｓ１０５「Ｎｏ」）、スクリーンショットの実行指示を受け付けたか否かの判定の処理に移る（Ｓ１０６）。
【００３４】
そして、例えば、制御部３１は、ユーザーによる操作部２２のスクリーンショットキーＳＣの操作によりスクリーンショットの実行指示が入力されず、別の処理が指示されたならば（Ｓ１０６「Ｎｏ」）、図３の処理を一旦終了する。この場合、制御部３１は、上記別の処理を実行する。
【００３５】
また、制御部３１が、ユーザーによる操作部２２のスクリーンショットキーＳＣの操作によりスクリーンショットの実行指示の入力を受け付けるとＳ１０６「Ｙｅｓ」）、スクリーンショット実行部３５は、表示部２１の画面に表示されている画像を取り込んで、この画像を記憶部２８に記憶させる（Ｓ１０７）。更に、制御部３１は、該画像の拡張子を履歴情報ＲＤとして記憶部２８に記憶させる（Ｓ１０８）。この後、処理は終了する。
【００３６】
一方、制御部３１は、タッチパネル２３に対する操作により画像の拡大縮小又は移動が指示されたか（Ｓ１０３「Ｙｅｓ」）、又は該画像の拡張子が記憶部２８に予め記憶されている規定の拡張子に一致したか（Ｓ１０４「Ｙｅｓ」）、のいずれかの場合は、画像形成装置１０の起動後にスクリーンショットにより画像の取得が可能である旨を示すメッセージを既に表示したことがあるか否かを判定する（Ｓ１０９）。
【００３７】
例えば、制御部３１は、画像形成装置１０の起動後に該メッセージを既に表示したことがあると判定すると（Ｓ１０９「Ｙｅｓ」）、制御部３１による該メッセージの表示を行わせることなく、操作部２２のスクリーンショットキーＳＣが操作されたか否かの判定の処理に移る（Ｓ１０６）。従って、画像形成装置１０の起動後に該メッセージが既に表示されていた場合は、該メッセージが表示されない。すなわち、画像形成装置１０の稼働中の該メッセージの表示は、一度だけ可能にされている。
【００３８】
そして、制御部３１は、スクリーンショットキーＳＣが操作されず、別の処理が指示されたならば（Ｓ１０６「Ｎｏ」）、図３の処理を一旦終了して、その別の処理を実行する。また、制御部３１が、ユーザーによる操作部２２のスクリーンショットキーＳＣの操作によりスクリーンショットの実行指示の入力を受け付けるとＳ１０６「Ｙｅｓ」）、スクリーンショット実行部３５は、表示部２１の画面に表示されている画像を取り込んで、この画像を記憶部２８に記憶させる（Ｓ１０７）。更に、制御部３１は、該画像の拡張子を履歴情報ＲＤとして記憶部２８に記憶させる（Ｓ１０８）。この後、処理は終了する。
【００３９】
一方、Ｓ１０９において、制御部３１は、画像形成装置１０の起動後に上記メッセージを表示したことがないと判定すると（Ｓ１０９「Ｎｏ」）、上記メッセージを表示部２１に表示させる（Ｓ１１０）。なお、制御部３１は、Ｓ１０１で表示指示を受け付けてＳ１０２で表示した画像の拡張子が、履歴情報ＲＤとして記憶されているいずれかの拡張子に一致する場合にも（Ｓ１０４「Ｎｏ」，Ｓ１０５「Ｙｅｓ」）、上記メッセージを表示部２１に表示させる（Ｓ１１０）。
【００４０】
例えば、図５に示すように「スクリーンショットの機能を備えています。」というメッセージＭ１を制御部３１が表示部２１の画面に表示させる。このとき、表示部２１の画面には、メッセージＭ１だけではなく、「操作方法を表示しますか」というメッセージＭ２、操作方法の表示を指示するためのＯＫキーＫ１、及び操作方法の表示をキャンセルするためのＮＧキーＫ２も表示される。
【００４１】
そして、ユーザーがＯＫキーＫ１をタッチ操作すると、制御部３１は、タッチパネル２３を通じて、ＯＫキーＫ１に対応付けられている、操作方法表示指示を受け付け（Ｓ１１１「Ｙｅｓ」）、スクリーンショットの操作方法を示すメッセージを表示部２１に表示させる（Ｓ１１２）。例えば、図６に例を示すように、「スクリーンショットキーを押して下さい。」という操作方法を示すメッセージＭ３が表示部２１の画面に表示される。このとき、表示部２１の画面には、メッセージＭ３だけではなく、「今後、メッセージを表示しない。」というメッセージＭ４、及びメッセージの表示を禁止することを指示するためのチェックボックスＣが表示される。ユーザーは、この表示部２１の画面におけるメッセージＭ３を見て、スクリーンショットキーＳＣの操作方法を理解することができ、またチェックボックスＣに対してチェックを入れることにより、タッチパネル２３を通じて、各メッセージＭ１〜Ｍ４の表示の禁止を指示することができる。この後、処理はＳ１１３に移る。
【００４２】
また、Ｓ１１１において、図５に示すメッセージＭ１の表示に際し、ユーザーがＮＧキーＫ２をタッチ操作すると、制御部３１は、タッチパネル２３を通じて、ＮＧキーＫ２に対応付けられた、操作方法を非表示とする指示を受け付け（Ｓ１１１「Ｎｏ」）、Ｓ１１２の処理を行わない。処理は、操作部２２のスクリーンショットキーＳＣが操作されたか否かを判定するＳ１１３に移る。あるいは、制御部３１は、該メッセージＭ１の表示開始から一定時間が経過すると（Ｓ１１１「Ｎｏ」）、操作方法を非表示とする指示を受け付けていなくても、Ｓ１１２の処理を行うことなくＳ１１３の処理に移る。
【００４３】
そして、Ｓ１１３の処理においては、制御部３１は、操作部２２のスクリーンショットキーＳＣが操作されたか否かの判定を行い（Ｓ１１３）、スクリーンショットキーＳＣが操作されず、別の処理が指示されたならば（Ｓ１１３「Ｎｏ」）、図３の処理を一旦終了して、その別の処理を実行する。また、制御部３１は、ユーザーによる操作部２２のスクリーンショットキーＳＣの操作によりスクリーンショットの実行指示の入力を受け付けると（Ｓ１１３「Ｙｅｓ」）、スクリーンショット実行部３５は、表示部２１の画面に表示されている画像を取り込んで、この画像を記憶部２８に記憶させる（Ｓ１１４）。更に、制御部３１は、該画像の拡張子を履歴情報ＲＤとして記憶部２８に記憶させる（Ｓ１１５）。この後、処理は終了する。
【００４４】
尚、ユーザーが図６に示すメッセージＭ４が表示部２１に表示されているときに、メッセージＭ４に対応付けて表示されているチェックボックスＣをタッチ操作すると、制御部３１は、タッチパネル２３を通じて、チェックボックスＣに対応付けられた表示禁止指示を受け付け、この後は、各メッセージＭ１〜Ｍ４の表示を行わない。この場合、制御部３１は、画像形成装置１０を再起動させたとき、図３に示すフローチャートに沿った処理を行わず、各メッセージＭ１〜Ｍ４を表示部２１に表示させることはない。制御部３１がスクリーンショット実行指示を受け付けたとき、スクリーンショット実行部３５が表示部２１の画面に表示されている画像を取り込んで記憶部２８に記憶させる。
【００４５】
このように本実施形態では、画像が表示部２１に表示され、かつ予め設定された条件が満たされた場合に、スクリーンショットにより該画像の取得が可能である旨を示すメッセージを表示部２１に表示させているので、スクリーンショットの機能を備えていることを、ユーザーに適確なタイミングで通知して、該機能の利用を促すことができる。
【００４６】
尚、上記実施形態では、本発明に係る電子機器の一例として、画像形成装置を用いて説明しているが、これは一例に過ぎず、本発明に係る電子機器は、ＰＣ、携帯端末装置、医療機器などを含むものである。
【００４７】
また、図１乃至図６を用いて説明した上記実施形態の構成及び処理は、本発明の一例に過ぎず、本発明を当該構成及び処理に限定する趣旨ではない。
【符号の説明】
【００４８】
１０      画像形成装置
１１      画像読取部
１２      画像形成部
２１      表示部
２２      操作部
２３      タッチパネル
２４      ネットワーク通信部
２８      記憶部
２９      制御ユニット
３１      制御部
３５      スクリーンショット実行部
ＳＣ      スクリーンショットキー
【図１】
2020017234.tif 000003
【図２】
2020017234.tif 000004
【図３】
2020017234.tif 000005
【図４】
2020017234.tif 000006
【図５】
2020017234.tif 000007
【図６】
2020017234.tif 000008